(57)【特許請求の範囲】
【請求項１】
風呂を追焚きするために該風呂に貯められた湯水が循環される追焚き管路と、水道から供給される水を加熱して湯を供給するための給湯管路と、該追焚き管路を流れる湯水を加熱する追焚き熱交換器と、その一部が該追焚き熱交換器と重複して該給湯管路を流れる水を加熱する給湯熱交換器と、該追焚き熱交換器と該給湯熱交換器とを加熱する加熱手段と、前記給湯管路における前記給湯熱交換器により加熱される箇所の上流側と下流側とを連通するバイパス管と、該バイパス管側に流れる水の流量と前記給湯熱交換器側に流れる水の流量との割合を調節する流量比調節手段と、該流量比調節手段の故障の有無を検知する故障検知手段と、該故障検知手段により前記流量比調節手段の故障が検知されたときに追焚きの実行を禁止する追焚き禁止手段とを備えた追焚き付き給湯器において、
前記追焚き付き給湯器は、前記給湯管路から前記浴槽に湯を供給する湯張り処理を行う機能を有し、該湯張り処理の実行開始を指示する湯張り指示手段と、前記故障検知手段により前記流量比調節手段の故障が検知されたときに報知を行う故障報知手段とを備え、
前記故障検知手段は、前記湯張り指示手段により前記湯張り処理の実行開始が指示されてから該湯張り処理が終了するまでの間と前記湯張り処理が終了した際とのうちの少なくともいずれか一方において、前記流量比調節手段の故障の有無を検知することを特徴とする追焚き付き給湯器。
【発明の詳細な説明】
【０００１】
【発明の属する技術分野】
本発明は、給湯用の熱交換器と追焚き用の熱交換器の一部が重複した、いわゆる一缶二水路式の追焚き付き給湯器における故障検知に関する。
【０００２】
【従来の技術】
近年、省スペースの目的から、水道管と接続された給湯管路内を流れる水を加熱する給湯熱交換器と、浴槽と接続された追焚き管路内を流れる湯水を加熱する追焚き熱交換器の一部を重複させて設置したいわゆる一缶二水路式の追焚き付き給湯器が開発されている。
【０００３】
かかる給湯器において、浴槽内に貯められた湯水を追焚き管路内を循環させながら前記追焚き熱交換器により加熱する追焚き運転を単独で実行する場合、上述したように追焚き熱交換器と給湯熱交換器とは一部が重複しているため、給湯熱交換器内に滞留していた水も同時に加熱され、給湯熱交換器内に高温の湯が滞留した状態となる。
【０００４】
そして、かかる状態で給湯が開始されると、給湯熱交換器内に滞留した高温の湯が給湯管路から出湯されて、湯の使用者に不快感を与えてしまう。そこで、給湯管路の給湯熱交換器により加熱される箇所の上流側と下流側とを連通するバイパス管と、給湯熱交換器側に供給される水の流量とバイパス管側に流れる水の流量との割合を調節する流量比調節手段（流量調節弁等）とを設け、給湯熱交換器から出湯される高温の湯にバイパス管からの水を混入させて、給湯管路から供給される湯の温度を下げる処理が行われている。
【０００５】
ここで、流量比調節手段が故障してバイパス管からの水を給湯熱交換器から出湯される湯に混入することができなくなると、給湯開始時に給湯熱交換器から出湯された高温の湯が給湯管路にそのまま供給されてしまう。そこで、従来は、追焚き運転の開始時や追焚き運転中に流量比調節手段の故障の有無をチェックし、故障が検知されたときには追焚きの実行を禁止して、このような状況となることを未然に防止するようにしていた。
【０００６】
しかし、本願発明者らは、このように追焚き運転の開始時や追焚き運転中に流量比調節手段の故障の有無を検知するようにしたときには、使用者の使い勝手が悪くなる場合があることを知見した。
【０００７】
【発明が解決しようとする課題】
本発明は、上記背景を鑑みてなされたものであり、一缶二水路式の追焚き付き給湯器において、流量比調節手段の故障検知を行う際の使用者の使い勝手を向上させた追焚き付き給湯器を提供することを目的とする。
【０００８】
【課題を解決するための手段】
本発明は上記目的を達成するためになされたものであり、風呂を追焚きするために該風呂に貯められた湯水が循環される追焚き管路と、水道から供給される水を加熱して湯を供給するための給湯管路と、該追焚き管路を流れる湯水を加熱する追焚き熱交換器と、その一部が該追焚き熱交換器と重複して該給湯管路を流れる水を加熱する給湯熱交換器と、該追焚き熱交換器と該給湯熱交換器とを加熱する加熱手段と、前記給湯管路における前記給湯熱交換器により加熱される箇所の上流側と下流側とを連通するバイパス管と、該バイパス管側に流れる水の流量と前記給湯熱交換器側に流れる水の流量との割合を調節する流量比調節手段と、該流量比調節手段の故障の有無を検知する故障検知手段と、該故障検知手段により前記流量比調節手段の故障が検知されたときに、追焚きの実行を禁止する追焚き禁止手段とを備えた追焚き付き給湯器の改良に関する。
【０００９】
そして、前記給湯管路から前記浴槽に湯を供給する湯張り処理を行う機能を有し、該湯張り処理の実行開始を指示する湯張り指示手段と、前記故障検知手段により前記流量比調節手段の故障が検知されたときに報知を行う故障報知手段とを備え、前記故障検知手段は、前記湯張り指示手段により前記湯張り処理の実行開始が指示されてから該湯張り処理が終了するまでの間と前記湯張り処理が終了した際とのうちの少なくともいずれか一方において、前記流量比調節手段の故障の有無を検知することを特徴とする。
【００１０】
かかる本発明によれば、前記追焚き禁止手段は、前記湯張り指示手段により前記湯張り処理の実行開始が指示されてから該湯張り処理が終了するまでの間と前記湯張り処理が終了した際とのうちの少なくともいずれか一方において、前記故障検知処理を実行する。そして、該故障検知処理により前記流量比調節手段の故障が検知されると、前記追焚き禁止手段により追焚きの実行が禁止されると共に、前記故障報知手段により前記流量比調節手段の故障が発生したことが報知される。
【００１１】
これにより、使用者に対して、入浴を開始する前に、前記流量比調節手段の故障が生じて、追焚きの実行が禁止されたことを認識させることができる。そのため、追焚きの実行開始時や追焚き中に前記故障検知処理を行った場合に生じる不都合、すなわち、入浴した使用者が浴槽に貯められた湯水をぬるく感じて、追焚きの実行を指示したときに前記故障検知処理が実行されて前記流量比調節手段の故障が検知され、これに応じて前記追焚き禁止手段により追焚きの実行が禁止される結果、追焚きすることができずにぬるさを我慢して入浴せざるを得ないという状況となる不都合が生じることを未然に防止することができる。
【００１６】
【発明の実施の形態】
本発明の実施の形態の一例について、図１〜図５を参照して説明する。図１は本発明の追焚き付き給湯器の全体構成図、図２は図１に示した追焚き付き給湯器の制御ブロック図、図３はバイパス弁の作動範囲の説明図、図４〜図５はバイパスサーボの故障検知処理のフローチャートである。
【００１７】
図１を参照して、給湯器１は、給湯管路２により水道管（図示しない）と接続され、追焚き管路３により浴槽４と接続されている。そして、給湯器１は、水道管から給湯管路２を介して供給される水を加熱して給湯する機能と、浴槽４に貯められた湯水を加熱して追焚きする機能とを有する。
【００１８】
給湯器１はコントローラ４により全体の作動が制御され、コントローラ４からの制御信号に応じて作動する第１バーナ５（本発明の加熱手段に相当する）及び該第１バーナよりも加熱能力が低い第２バーナ６（本発明の加熱手段に相当する）、第１バーナ５と第２バーナ６とにより加熱される追焚き熱交換器７と給湯熱交換器８、水道管から給湯管路２に供給された水の一部を給湯熱交換器８をバイパスさせて給湯熱交換器８から出湯される湯に混入させるバイパス管９、コントローラ４からの制御信号によりバイパス管９の開度を調節するバイパスサーボ１０、給湯管路２とバイパス管９との合流箇所Ｘの下流側の湯の温度を検出して検出信号をコントローラ４に出力する給湯サーミスタ１１、給湯熱交換器８の出口付近の湯の温度を検出して検出信号をコントローラ４に出力する熱交サーミスタ１２、水道から給湯管路２に供給される水の流量を検出して検出信号をコントローラ４に出力する水量センサ１３、及び給湯管路２から供給される湯の流量を調節する湯量サーボ１４を備える。
【００１９】
さらに、給湯器１は、給湯管路２と追焚き管路３とを接続する湯張り中継管３０、コントローラ４からの制御信号により作動して湯張り中継管３０を開閉する注湯電磁弁１５、追焚き管路３から湯張り中継管３０への方向の湯の通過を不能とし湯張り中継管３０から追焚き管路３への方向の湯の通過を可能とする逆止弁１６、コントローラ４からの制御信号により作動して浴槽４に貯められた湯水を追焚き管路３内に循環させるポンプ１７、浴槽４から追焚き管路３に供給される湯水の温度（＝浴槽に貯められた湯水の温度）を検出して検出信号をコントローラ４に出力する風呂サーミスタ１８、追焚き管路３内を流れる湯水の有無を検出して検出信号をコントローラ４に出力する風呂水流スイッチ１９、給湯管路２から湯張り中継管３０と追焚き管路３とを経由して浴槽４に供給される湯の流量を検出して検出信号をコントローラ４に出力する湯量センサ２０を備える。
【００２０】
また、給湯器１は、第１バーナ５と第２バーナ６の作動を制御するため、コントローラ４からの制御信号に応じて第１バーナ５と第２バーナ６への燃料ガスの供給と遮断とを切替える元ガス電磁弁２１、コントローラ４からの制御信号に応じて燃料ガスの供給流量を調節するガス比例弁２２、コントローラ４からの制御信号に応じて第１バーナ５への燃料ガスの供給と遮断とを切替える第１ガス電磁弁２３、コントローラ４からの制御信号に応じて第２バーナ６への燃料ガスの供給と遮断とを切替える第２ガス電磁弁２４、コントローラ４からの制御信号に応じて第１バーナ５と第２バーナ６に燃焼用空気を供給する燃焼ファン２５、コントローラ４からの制御信号に応じてイグナイタ２６から印加される高電圧により火花放電を生じる点火プラグ２７、第２バーナ６の燃焼炎の有無を検出して検出信号をコントローラ４に出力するフレームロッド２８、及び給湯熱交換器８内で最も給湯管路２内の温度が高くなる箇所の水の温度を検出して検出信号をコントローラ４に出力する水管サーミスタ２９を備える。
【００２１】
水管サーミスタ２９は、追焚き運転のみを単独で実行したときに、給湯熱交換器８内に滞留した水が加熱されて異常に昇温されることを防止するために設けられ、水管サーミスタ２９の検出温度が所定の上限温度を超えたときに、コントローラ４は、第１バーナ５と第２バーナ６の燃焼を停止する。
【００２２】
また、コントローラ４は、浴室等に設置されたリモコン４０との間で各種信号の送受信を行う。
【００２３】
次に、図２を参照して、コントローラ４は、給湯管路２から目標給湯温度の湯を供給する給湯制御を実行する給湯制御手段５０、浴槽４に貯められた湯を目標追焚き温度まで昇温させる追焚き運転を実行する追焚き制御手段５１、及び浴槽４に目標湯張り温度の湯を目標湯張り量だけ供給する湯張り運転を実行する湯張り制御手段５２を備えている。
【００２４】
また、リモコン４０には、給湯温度を設定する温度設定スイッチ４１、湯張り運転の開始／停止を指示する湯張りスイッチ４２（本発明の湯張り指示手段に相当する）、追焚き運転の開始／停止を指示する追焚きスイッチ４３、ブザー４４（本発明の故障報知手段の機能を含む）、及び給湯温度、湯張り温度等を表示するディスプレイ４５（本発明の故障報知手段の機能を含む）が備えられている。
【００２５】
また、バイパスサーボ１０は、バイパス弁６１（本発明の流量比調節手段に相当する）とバイパス弁６１を駆動してバイパス弁６１の開弁位置を変更するステッピングモータ６０とからなり、コントローラ４に備えられたモータ制御手段５４は、モータドライバ５５を介してステッピングモータ６０の角度位置を制御する。
【００２６】
モータ制御手段５４は、ステッピングモータ６０の目標角度位置（バイパス弁の目標開弁位置に対応する）に応じたパルス信号をモータドライバ５５に出力し、モータドライバ５５は、該パルス信号のパルス数に応じた回転角度だけステッピングモータ６０を回転作動させるモータ駆動信号をステッピングモータ６０に出力する。
【００２７】
ここで、該パルス信号の１パルスに対応するステッピングモータ６０の回転角度が予め規定されており、モータ制御手段５４は、出力したパルス数をステッピングモータ６０の回転方向に応じて位置カウンタ５６により加減して積算する。そして、モータ制御手段５４は、位置カウンタ５６のカウント値からステッピングモータ６０の角度位置を把握する。
【００２８】
また、ステッピングモータ６０の付近には、ステッピングモータ６０の角度位置が所定範囲内となったときにＯＮするリミットセンサ６２が備えられ、コントローラ４には、バイパス弁６１の故障の有無を検知するバイパス弁故障検知手段５３（本発明の故障検知手段に相当する）、バイパス弁故障検知手段５３によりバイパス弁６１の故障が検知されたときに追焚き運転の実行を禁止する追焚き禁止手段５７とが備えられている。
【００２９】
給湯制御手段５０は、リモコン４０により設定された目標給湯温度の湯が給湯管路２から供給されるように、第１バーナ５と第２バーナ６の燃焼量を制御する。給湯制御手段５０は、給湯管路２の下流側に接続されたカラン（図示しない）が開けられて、水道管からの給水が開始されたことを水量センサ１３の検出信号から検知すると、燃焼ファン２５を作動させて燃焼用空気の供給を開始し、イグナイタ２６から点火プラグ２７に高電圧を印加して火花放電を生じさせた状態で、元ガス電磁弁２１と第２ガス電磁弁２３とを開弁して第２バーナ６に点火する。
【００３０】
給湯制御手段５０は、第１ガス電磁弁２３と第２ガス電磁弁２４とガス比例弁２２により第１バーナ５と第２バーナ６とによる加熱量を調節する。そして、給湯制御手段５０は、使用者によりカランが閉められて、水道管から給湯管路２への給水が停止したことを水量センサ１３の検出信号から検知したときに、元ガス電磁弁２１と第１ガス電磁弁２３と第２ガス電磁弁２４とを閉弁し、燃焼ファン２５の作動を停止して給湯制御を終了する。
【００３１】
次に、追焚き制御手段５１は、リモコン４０による追焚きの開始指示に応じて、追焚き制御を開始する。追焚き制御手段５１は、ポンプ１７を作動させて浴槽４内の湯水を追焚き管路３に循環させ、この状態で、上述した給湯制御と同様に第１バーナ５と第２バーナ６とにより追焚き熱交換器７を加熱して、追焚き管路３内を循環する湯水を加熱する。これにより、浴槽４内に貯められた湯水が次第に昇温され、風呂サーミスタ１８の検出温度がリモコン４０により設定された目標追焚き温度となったときに、追焚き制御手段５１は、第１バーナ５と第２バーナ６との燃焼を停止して追焚き制御を終了する。
【００３２】
なお、追焚き制御手段５１は、ポンプ１７を作動させたときに、風呂水流スイッチ１９により水流が検出されるか否かを確認する。そして、風呂水流スイッチ１９により水流が検出され、浴槽４に湯水が貯められていると判断できるときに追焚き制御を実行する。
【００３３】
また、湯張り制御手段５２は、リモコン４０による湯張りの開始指示に応じて湯張り制御を開始する。湯張り制御手段５２は、先ず注湯電磁弁１５を開弁し、これにより、水道管から湯張り管路２への給水が開始され、給湯制御手段５０により、リモコン４０により設定された目標湯張り温度での給湯制御が開始される。そして、給湯管路２から湯張り中継管３０と追焚き管路３とを経由して、目標湯張り温度の湯が浴槽４に供給される。
【００３４】
湯張り制御手段５２は、湯量センサ２０により検出される湯の供給流量と湯の供給時間とから、浴槽４に貯められた湯量を把握し、湯量がリモコン４０により設定された目標湯張り量に達したときに、注湯電磁弁１５を閉弁して湯張り制御を終了する。
【００３５】
次に、追焚き運転のみを単独で実行した場合、上述したように、追焚き管路３内を流れる湯水が追焚き熱交換器７により加熱されるが、追焚き熱交換器７と重複して設けられた給湯熱交換器８も第２バーナ６によって加熱されるため、給湯熱交換器８内に滞留した水も高温に加熱されることとなる。
【００３６】
そして、このように給湯熱交換器８内に高温の湯が滞留した状態で給湯運転が開始されると、給湯熱交換器８から給湯管路に高温の湯が供給されて、使用者に不快感を生じさせてしまう。そこで、給湯制御手段５０は、熱交サーミスタ１２の検出温度により給湯熱交換器８から供給される湯の温度を把握し、湯の温度が高温であったときには、バイパス弁６１によって、給湯熱交換器８側に供給される水の水量（＝給湯熱交換器１２から出湯される湯の流量）と、バイパス管９側に供給される水の流量との割合を調節し、両者が混合される箇所Ｘの下流側に供給される湯の温度を下げるようにしている。
【００３７】
しかし、バイパス弁６１の故障が生じると、このように給湯熱交換器８側に供給される水の水量と、バイパス管９側に供給される水の流量との割合を調節して、Ｘの下流側に供給される湯の温度を下げることができなくなる。
【００３８】
そこで、バイパス弁故障検知手段５３によりバイパス弁６１の故障が検知されたときに、追焚き禁止手段５７は追焚き運転の実行を禁止し、給湯熱交換器８から給湯管路２のＸの下流に高温の湯がそのまま供給されてしまうことを未然に防止している。
【００３９】
図３を参照して、ステッピングモータ６０の回転作動範囲は、バイパス弁６１の開度の調節範囲に応じて、０°〜５４０°に設定されており、モータ制御手段５４は、通常は２０°〜４０５°の範囲内でステッピングモータ６０の角度位置を制御する。
【００４０】
また、リミットセンサ６２は、バイパス弁６１が全開位置（水道管から供給される水が全てバイパス管９側に流れる状態となる開弁位置）となる開リミット範囲（４３０°〜４９５°）になったときにＯＮするように設けられているが、開リミット範囲に達するまでにステッピングモータ６０は１回転（３６０°）を超えて回転するため、開リミット範囲の他、該開リミット範囲よりも３６０°閉弁側である偽リミット範囲でもＯＮする。
【００４１】
コントローラ４への電源供給が開始されると、モータ制御手段５４は、先ずステッピングモータ６０の原点出し処理を行う。原点出し処理は、ステッピングモータ６０をバイパス弁６１が全閉ロックする位置（以下、全閉ロック位置という）まで作動させて強制的に脱調させることにより行われ、モータ制御手段５４は、該全閉ロック位置になったときに上述した位置カウンタ５６をクリアする。これにより、全閉ロック位置がステッピングモータ６０の原点位置（０°位置）とされる。
【００４２】
モータ制御手段５４は、給湯制御手段５０からバイパス弁６１の目標開弁位置が与えられたときに、該目標開弁位置に応じたステッピングモータ６０の目標角度位置を算出し、ステッピングモータ６０を位置カウンタ５６のカウント値から把握される現状の角度位置から該目標角度位置まで作動させるために必要なパルス数を算出する。
【００４３】
そして、モータ制御手段５４は、算出したパルス数分のパルス信号をモータドライバ５５に出力すると共に、出力したパルス数を位置カウンタ５６に加算（全開側に作動する場合）又は減算（全閉側に作動する場合）して積算する。これによりモータドライバ５５からステッピングモータ６０にモータ駆動信号が出力されて、ステッピングモータ６０が目標角度位置まで回転し、バイパス弁６１の開弁位置が目標開弁位置に制御される。また、位置カウンタ５６のカウント数から把握されるステッピングモータ６０の角度位置が該目標角度位置となる。
【００４４】
このように、モータ制御手段５４により、位置カウンタ５６のカウント値から把握されるステッピングモータ６０の角度位置（以下、ソフト位置という）と、実際のバイパス弁６１の開弁位置に応じたステッピングモータ６０の角度位置（以下、ハード位置という）とが一致するようにステッピングモータ６０の角度位置が制御される。
【００４５】
次に、一般的には、追焚き運転が開始された時や追焚き運転中にバイパス弁６１の故障検知処理を行い、バイパス弁６１の故障が検知されたときに追焚き運転の実行を禁止している。しかしながら、この場合には、湯張り運転終了後、時間の経過により浴槽に貯められた湯がさめてしまった状態で、使用者が入浴したときに、以下のような不都合が生じる。
【００４６】
すなわち、入浴した使用者が浴槽に貯められた湯のぬるさを感じ、リモコン４０の追焚きスイッチ４３を操作して追焚き運転の開始を指示すると、バイパス弁故障検知手段５３によりバイパス弁５３の故障検知処理が実行されるが、バイパス弁５３の故障が検知されると、追焚き禁止手段５７により追焚き運転の実行が禁止されてしまう。そのため、使用者はぬるい湯を我慢して入浴しなければならないという不都合が生じる。
【００４７】
そこで、本実施の形態においては、バイパス弁故障検知手段５３は、リモコン４０の湯張りスイッチ４２により湯張り運転の開始が指示されたときにも、バイパス弁故障検知手段５３によるバイパス弁６１の故障検知処理を実行する。以下、図４〜図５に示したフローチャートに従って、バイパス弁故障検知手段５３によるバイパス弁６１の故障検知処理と、追焚き禁止手段５７による追焚き運転の禁止処理について説明する。
【００４８】
図４のＳＴＥＰ１〜図５のＳＴＥＰ１０、及び図４のＳＴＥＰ２０〜ＳＴＥＰ２２がバイパス弁故障検知手段５３による処理であり、図５のＳＴＥＰ３０〜ＳＴＥＰ３２が追焚き禁止手段５７による処理である。
【００４９】
図４を参照して、使用者がリモコン４０の湯張りスイッチ４２（図２参照）を操作して湯張り運転の開始を指示すると、バイパス弁故障検知手段５３は、ＳＴＥＰ１からＳＴＥＰ２に進む。そして、次のＳＴＥＰ２でリミットセンサ６２がＯＮしていたときは、ＳＴＥＰ２０に分岐する。
【００５０】
ＳＴＥＰ２０で、ステッピングモータ６０のソフト位置が偽リミット範囲の開側の境界（１３５°）を超えていたとき、すなわち、開リミット範囲内でリミットセンサ６２がＯＮしていたときには、追焚き禁止手段５７は、次のＳＴＥＰ２１でステッピングモータ６０をバイパス弁６１の閉方向（０°側）に作動させる。そして、続くＳＴＥＰ２２でリミットセンサ６２がＯＦＦしたとき、すなわち、ステッピングモータ６０のソフト位置が開リミット範囲から外れたときに、ＳＴＥＰ３に進む。
【００５１】
ＳＴＥＰ３〜ＳＴＥＰ６は、バイパス弁６１が開弁方向に正常に作動するか否かを確認するものであり、追焚き禁止手段５７は、先ず、ＳＴＥＰ３でステッピングモータ６０をバイパス弁６１の開弁方向（５４０°側）に作動させる。そして、ＳＴＥＰ４でステッピングモータ６０のソフト位置が偽リミット範囲の開側の境界を超えるのを待ってＳＴＥＰ５に進む。
【００５２】
ＳＴＥＰ５とＳＴＥＰ６からなるループにおいて、ＳＴＥＰ６でステッピングモータ６０のソフト位置がバイパス弁６１の全開位置となる前に、ＳＴＥＰ５でリミットセンサ６２がＯＮしたときは、ステッピングモータ６０のソフト位置とハード位置とが一致していると想定できる。そのため、追焚き禁止手段５７は、バイパス弁６１の開弁方向への作動が正常になされたと判断して図５のＳＴＥＰ７に進む。
【００５３】
一方、ＳＴＥＰ５でリミットセンサ６２がＯＮする前に、ＳＴＥＰ６でステッピングモータ６０のソフト位置がバイパス弁６１の全開位置となったときには、ステッピングモータ６０のソフト位置とハード位置とが一致していないと想定できる。そのため、追焚き禁止手段５７は、バイパス６１の開弁方向への作動が不良であり、バイパス弁６１が故障していると判断して図５のＳＴＥＰ３０に進み、ＳＴＥＰ３０〜ＳＴＥＰ３２の追焚き禁止処理を実行する。
【００５４】
すなわち、追焚き禁止手段５７は、ＳＴＥＰ３０でステッピングモータ６０の作動を停止し、ＳＴＥＰ３１で追焚き運転の実行を禁止し、ＳＴＥＰ３２でリモコン４０に備えられたディスプレイ４５にバイパス弁６１の故障が生じた旨を示すエラー表示をし、また、ブザー４４を鳴動して、バイパス弁６１の故障が生じたことを使用者に報知する（本発明の故障の発生の報知に相当する）。
【００５５】
これにより、湯張り運転が終了する前に、使用者に対してバイパス弁６１が故障して、追焚き運転の実行が不能となったことを認識させることができる。そして、使用者に、湯張り運転終了後、浴槽に貯められた湯がさめないうちに入浴することを促すことができる。そのため、上述した不都合、すなわち、使用者が入浴を開始した後に追焚き運転の実行が禁止され、ぬるい湯に我慢して入浴しなければならないという不都合が生じることを未然に防止することができる。
【００５６】
次に、図５のＳＴＥＰ７〜ＳＴＥＰ１０は、バイパス弁６１が閉弁方向に正常に作動するか否かを確認するものであり、追焚き禁止手段５７は、先ず、ＳＴＥＰ７でステッピングモータ６０をバイパス弁６１の閉弁方向（０°側）に作動させる。そして、ＳＴＥＰ８でステッピングモータ６０のソフト位置が偽リミット範囲の閉側の境界（７０°）よりも閉側（０°側）となる前に、ＳＴＥＰ９でリミットセンサ６２がＯＦＦしたときは、追焚き禁止手段５７は、バイパス弁６１の閉弁方向への作動が正常に実行されたと判断してＳＴＥＰ１０に進み、ステッピングモータ６０の作動を停止してバイパス弁６１の故障検知処理を終了する。
【００５７】
一方、ＳＴＥＰ９でリミットセンサ６２がＯＦＦする前に、ＳＴＥＰ８でステッピングモータ６０のソフト位置が偽リミット範囲の閉側の境界未満となったときには、追焚き禁止手段５７は、バイパス弁６１の閉弁方向への作動が不良であり、バイパス弁６１が故障していると判断してＳＴＥＰ３０に進む。そして、追焚き禁止手段５７は、ＳＴＥＰ３０〜ＳＴＥＰ３２の追焚き禁止処理を実行する。なお、ＳＴＥＰ３２でバイパス弁６１の故障を報知すると共に、湯張り運転の実行を禁止するようにしてもよい。
【００５８】
なお、本実施の形態では、本発明の流量比調節手段として、バイパス弁６１をステッピングモータ６０で作動させるバイパスサーボ１０を示したが、サーボモータによりバイパス弁６１を作動させる構成であってもよい。さらに、本発明の流量調節手段として比例電磁弁を使用する場合にも本発明の適用が可能である。
【００５９】
また、本実施の形態では、湯張りスイッチ４２の操作により湯張り運転の開始が指示されたときに、バイパス弁６１の故障検知処理を実行するようにしたが、リモコン４０が湯張り運転の予約機能を有する場合には、予約時刻又は予約時間となってリモコン４０からコントローラ４に対して湯張り運転の開始が指示されたときに、バイパス弁６１の故障検知処理を実行するようにしてもよい（この場合には、リモコン４０が本発明の湯張り指示手段に相当する）。
【００６０】
また、本実施の形態では、湯張りスイッチ４２の操作により湯張り運転の開始が指示されたときに、バイパス弁６１の故障検知処理を実行するようにしたが、湯張り運転の開始が指示されてから湯張り運転が終了するまでの間又は湯張り運転が終了した際にバイパス弁６１の故障検知処理を実行するようにしてもよい。さらに、湯張り運転の開始が指示されてから湯張り運転が終了するまでの間と湯張り運転が終了した際の双方において、バイパス弁６１の故障検知処理を実行してもよく、これにより、使用者が入浴する前にバイパス弁６１の故障を確実に検知することができる。
【００６３】
また、給湯運転の実行中は、給湯温度を制御するために給湯制御手段５０によりバイパス弁６１の開度が調節される。そのため、給湯運転の実行中はバイパス弁６１を開閉する故障検知処理を実行することはできない。そこで、給湯運転の実行中に、故障検知処理を実行するタイミングとなったときには、故障検知処理の実行を中止するか、或いは給湯運転が終了した後に故障検知処理を実行するようにしてもよい。
【００６４】
また、本実施の形態では、バイパス弁６１がバイパス管９の下流側の合流箇所に設けられているので、バイパス弁６１をバイパス管９の上流側の合流箇所や、給湯熱交換器８よりも下流側の給湯管路２内に設けた場合に比べて、熱によるバイパス弁６１の劣化を抑制することができる。
【００６５】
また、本実施の形態では、本発明の加熱手段としてガスを燃料とするバーナを示したが、灯油を燃料とするバーナを用いてもよく、また、電熱線により熱交換を行う構成としてもよい。
【図面の簡単な説明】
【図１】本発明の追焚き付き給湯器の全体構成図。
【図２】図１に示した追焚き付き給湯器の制御ブロック図。
【図３】バイパス弁の作動範囲の説明図。
【図４】バイパスサーボの故障検知処理のフローチャート。
【図５】バイパスサーボの故障検知処理のフローチャート。
【符号の説明】
１…追焚き付き給湯器、２…給湯管路、３…追焚き管路、４…浴槽、５…第１バーナ、６…第２バーナ、７…追焚き熱交換器、８…給湯熱交換器、９…バイパス管、１０…バイパスサーボ、１１…給湯サーミスタ、１２…熱交サーミスタ、１３…水量センサ、１４…湯量サーボ、１５…注湯電磁弁、１６…逆止弁、１７…ポンプ、１８…風呂サーミスタ、１９…風呂水流スイッチ、２０…湯量センサ、４０…リモコン、４２…湯張りスイッチ、４３…追焚きスイッチ、４４…ブザー、４５…ディスプレイ、５３…バイパス弁故障検知手段
【図１】
0003844650.tif 000002
【図２】
0003844650.tif 000003
【図３】
0003844650.tif 000004
【図４】
0003844650.tif 000005
【図５】
0003844650.tif 000006